(57)【要約】【課題】デジタルカメラで撮影した画像データの補正処理を、外部機器で実施するか否かを自動的に指定する。【解決手段】メモリカード１８に記録される画像ファイル６０は、撮影した画像データ６１、サムネイル画像６２、および画像データ６１に関するタグ情報６３などから構成される。タグ情報６３には、撮影した画像を外部機器にて出力する際に、外部機器で画像データの補正処理を実施するか否かを指定するＣＲフラグ６４が付加されている。ＣＰＵ３０は、プレビューモードが選択された場合はＣＲフラグ６４をオフに設定し、通常モードが選択された場合はオンに設定する。【選択図】        図６
2004200922.tif 000002
【特許請求の範囲】
【請求項１】
撮影した画像を表示する画像表示手段と、撮影した画像データ、およびこの画像データに関するタグ情報を含む画像ファイルを記録する記憶手段とを有し、
被写体の撮影後、撮影した画像を表示し、前記画像ファイルを記録するか否かを選択可能なプレビューモードを備えたデジタルカメラにおいて、
前記タグ情報に付加され、撮影した画像を外部機器にて出力する際に、外部機器で画像データの補正処理を実施するか否かを指定する識別情報を、
前記プレビューモードが選択された場合は補正処理不実施信号に、選択されていない場合は補正処理実施信号に設定する制御手段を設けたことを特徴とするデジタルカメラ。
【請求項２】
前記制御手段は、画像表示手段の表示がオンに設定された場合は前記識別情報を補正処理不実施信号に、画像表示手段の表示がオフに設定された場合は補正処理実施信号に設定することを特徴とする請求項１に記載のデジタルカメラ。
【請求項３】
撮影した画像を表示する画像表示手段と、撮影した画像データ、およびこの画像データに関するタグ情報を含む画像ファイルを記録する記憶手段とを有し、
前記画像表示手段の表示・非表示が選択可能なデジタルカメラにおいて、
前記タグ情報に付加され、撮影した画像を外部機器にて出力する際に、外部機器で画像データの補正処理を実施するか否かを指定する識別情報を、
表示が選択された場合は補正処理不実施信号に、非表示が選択された場合は補正処理実施信号に設定する制御手段を設けたことを特徴とするデジタルカメラ。
【発明の詳細な説明】
【０００１】
【発明の属する技術分野】
本発明は、撮影した画像を外部機器にて出力する際に、外部機器で画像データの補正処理を実施するか否かを指定するデジタルカメラに関する。
【０００２】
【従来の技術】
ＣＣＤイメージセンサなどの撮像素子で撮像した被写体画像をデジタルの画像データに変換し、内蔵メモリやメモリカードなどの記憶媒体に記録するデジタルカメラが普及している。デジタルカメラで撮影した画像をパソコンやプリンタなどの外部機器にて出力する際には、画像を適正な画質で出力するために、外部機器内で自動的に画質補正処理を行う。
【０００３】
上記のような補正処理を行う装置としては、カメラ固有のデバイスパラメータを使用して撮影した画像に補正処理を施し、さらに撮影環境に応じた補正処理を施すもの（特許文献１参照）や、メモリカードに記録されている画像データおよびカラーマネジメント情報を読み取り、読み取った画像データに対してカラーマネジメント情報に基づいた画像補正を施すもの（特許文献２参照）、補正処理を施すか否かの指定が可能なもの（特許文献３参照）などが提案されている。
【０００４】
【特許文献１】
特開平１１−２８９４６７号公報
【特許文献２】
特開２０００−３１８２７５号公報
【特許文献３】
特開２０００−３５４２５５号公報
【０００５】
【発明が解決しようとする課題】
しかしながら、特許文献１および２に記載される装置を用いた場合、カメラ側で補正処理を施すか否かを指定することができないため、ユーザーがカメラの液晶モニタで確認した画像に対しても補正処理が施されてしまい、返って望ましくない画像を出力することがあった。また、特許文献３に記載される装置には、撮影中にユーザーが補正処理を施すか否かを指定しなければならず、煩雑であるという欠点があった。
【０００６】
本発明は、撮影した画像を外部機器にて出力する際に、外部機器で画像データの補正処理を実施するか否かを自動的に指定することができるデジタルカメラを提供することを目的とする。
【０００７】
【課題を解決するための手段】
上記目的を達成するために、本発明は、撮影した画像を表示する画像表示手段と、撮影した画像データ、およびこの画像データに関するタグ情報を含む画像ファイルを記録する記憶手段とを有し、被写体の撮影後、撮影した画像を表示し、前記画像ファイルを記録するか否かを選択可能なプレビューモードを備えたデジタルカメラにおいて、前記タグ情報に付加され、撮影した画像を外部機器にて出力する際に、外部機器で画像データの補正処理を実施するか否かを指定する識別情報を、前記プレビューモードが選択された場合は補正処理不実施信号に、選択されていない場合は補正処理実施信号に設定する制御手段を設けたことを特徴とする。
【０００８】
なお、前記制御手段は、画像表示手段の表示がオンに設定された場合は前記識別情報を補正処理不実施信号に、画像表示手段の表示がオフに設定された場合は補正処理実施信号に設定するようにしてもよい。
【０００９】
また、本発明は、撮影した画像を表示する画像表示手段と、撮影した画像データ、およびこの画像データに関するタグ情報を含む画像ファイルを記録する記憶手段とを有し、前記画像表示手段の表示・非表示が選択可能なデジタルカメラにおいて、前記タグ情報に付加され、撮影した画像を外部機器にて出力する際に、外部機器で画像データの補正処理を実施するか否かを指定する識別情報を、表示が選択された場合は補正処理不実施信号に、非表示が選択された場合は補正処理実施信号に設定する制御手段を設けたことを特徴とする。
【００１０】
【発明の実施の形態】
図１および図２において、デジタルカメラ２には、撮像レンズ１０が組み込まれたレンズ鏡胴１１、光学ファインダを構成するファインダ対物窓１２とファインダ接眼窓１３、およびストロボ発光部１４が設けられている。側面および上面には、グリップ部１５、モードダイヤル１６、およびレリーズボタン１７が設けられており、他方の側面には、メモリカード１８が着脱自在に装填されるメモリカードスロット１９が設けられている。
【００１１】
撮像レンズ１０の背後には、図示しないＣＣＤイメージセンサが配置されており、これらとレンズ鏡胴１１とで撮像部３２（図５参照）を構成している。ＣＣＤイメージセンサからの撮像信号は、Ａ／Ｄ変換器３４（図５参照）によりデジタルの画像データに変換される。この画像データは、デジタルカメラ２の背面に設けられた液晶表示装置（ＬＣＤ）２０で、いわゆるスルー画像として表示される。また、このＬＣＤ２０、あるいは光学ファインダを通して被写体画像のフレーミングが行われる。
【００１２】
レリーズボタン１７は、２段階押しのスイッチとなっており、ＬＣＤ２０または光学ファインダによるフレーミングの後にレリーズボタン１７を軽く押圧すると、露光調整、撮像レンズ１０の焦点調整などの各種撮影準備処理が施される。撮影準備処理が施された撮像信号は、レリーズボタン１７を離すまでデータロックされる。そして、この状態でレリーズボタン１７をもう１度強く押圧すると、撮影準備処理が施された１画面分の撮像信号が画像データに変換された後、メモリカード１８に記録される。
【００１３】
デジタルカメラ２の背面には、ＬＣＤ２０のほかに、電源のオン／オフ切替えを行う電源ボタン、撮像レンズ１０のズームレンズをワイド側、テレ側に変倍するズーム操作ボタン、およびＬＣＤ２０に表示されるメニュー画面内でカーソルを移動させるカーソル操作キーなどからなる操作部２１が設けられている。
【００１４】
デジタルカメラ２では、静止画撮影を行う静止画撮影モード、動画撮影を行う動画撮影モード、撮影した画像をＬＣＤ２０に表示する再生モード、および各種設定を行うセットアップモードが選択可能となっている。図３に示すように、これらのモードの切り替えは、各種モードを表すマーク２２ａ〜２２ｄを指標２３に合わせるようにモードダイヤル１６を回動操作させることで行われる。
【００１５】
静止画撮影モードには、被写体の撮影後、メモリカード１８に無条件で画像ファイルを記録する通常モードと、被写体の撮影後、撮影した画像をユーザーに確認させるためにＬＣＤ２０に一定時間表示し、メモリカード１８に画像ファイルを記録するか否かを選択可能なプレビューモードとが設けられている。
【００１６】
モードダイヤル１６でセットアップモードを選択すると、図４に示すようなメニュー画面２４がＬＣＤ２０に表示される。プレビューモードは、このメニュー画面２４にて操作部２１を操作することで設定可能となっている。また、このメニュー画面２４では、画像の記録モード、記録画素数、ビープ音の音量、およびＬＣＤ２０の表示のオン／オフなどを設定することができる。なお、図中の網掛け部分は、現在設定されている項目を示す。
【００１７】
デジタルカメラ２の電気的構成を示す図５において、ＣＰＵ３０は、バス３１を介してデジタルカメラ２の各部を制御する。撮像部３２は、撮像レンズ１０からの光学的な被写体画像をＣＣＤイメージセンサで電気的な撮像信号に変換する。撮像部３２からの撮像信号は、信号処理部３３により輪郭強調、ガンマ補正、ホワイトバランス調整などの各種信号処理を施され、Ａ／Ｄ変換器３４でデジタルの画像データに変換される。
【００１８】
システムメモリ３５は、撮影シーケンスを行うための各種プログラムが記憶されるＲＯＭや、プログラムの実行に必要な各種データが一時記憶されるＲＡＭから構成される。ＣＰＵ３０は、バス３１を介してシステムメモリ３５に記憶されたプログラムやデータを読み出し、これらに基づいてデジタルカメラ２の各部を制御する。
【００１９】
不揮発性メモリ３６は、ＥＥＰＲＯＭなどの書き換え可能な記憶媒体からなり、デジタルカメラ２を動作させるために必要な各種設定情報が記録される。この各種設定情報は、新機能を追加する際などに新しい情報に書き換えられる。フレームメモリ３７には、画像処理が施された１フレーム分の画像データが書き込まれる。フレームメモリ３７に書き込まれた画像データは、次回の撮影を実行するまで保存される。また、この画像データは、プレビューモードが選択されている場合には、メモリカード１８に記録するか否かが操作部２１で選択されるまで、ＬＣＤドライバ３８を介してＬＣＤ２０に表示される。
【００２０】
画像圧縮・伸張回路３９は、フレームメモリ３７に書き込まれた画像データに対して、例えばＪＰＥＧ形式で圧縮処理を施す。圧縮処理後の画像データは、カードＩ／Ｆ４０を介してメモリカード１８に記録される。
【００２１】
外部Ｉ／Ｆ４１は、パーソナルコンピュータやプリンタなどの外部機器からの制御信号をコネクタ４２を介して受信するとともに、画像圧縮・伸張回路３９で圧縮されたＪＰＥＧ形式の画像データを外部機器へ送信する。
【００２２】
ストロボ装置４３は、ストロボ制御回路４４により動作制御される。デジタルカメラ２には、上記の他にも、タイマ４５、撮影日時を記録するためのカレンダー・時計機能４６、操作部２１やＬＣＤ２０のバックライト４７と入出力信号の授受を行うＩ／Ｏポート４８、各部に電源を供給する電源供給部４９などが設けられている。
【００２３】
図６に示すように、メモリカード１８に記録される画像ファイル６０は、撮影した画像データ６１、サムネイル画像６２、および画像データ６１に関するタグ情報６３などから構成される。タグ情報６３には、撮影した画像を外部機器にて出力する際に、外部機器で画像データの補正処理を実施するか否かを指定する識別情報として、ＣＲフラグ６４（Custom Rendering Flag ）が付加されている。このＣＲフラグ６４をオンに設定すると補正処理を実施し、オフに設定すると補正処理を実施しない、または補正の程度を軽減して処理を行う。ＣＰＵ３０は、プレビューモードが選択された場合はＣＲフラグ６４をオフに設定し、通常モードが選択された場合はオンに設定する。
【００２４】
次に、上記実施形態による作用について、図７のフローチャートを参照しながら説明する。まず、モードダイヤル１６を操作して静止画撮影モードを選択し、レリーズボタン１７の２回目の押圧操作で撮影を実行する。このとき、通常モードが選択されている場合には、ＣＲフラグ６４をオンに設定してメモリカード１８に画像ファイルを記録する。ＬＣＤ２０の表示がオンに設定されている場合には、撮影した画像を例えば１、２秒間ＬＣＤ２０に表示する。
【００２５】
プレビューモードが選択され、且つＬＣＤ２０の表示がオンに設定されている場合には、プレビュー画像をＬＣＤ２０に表示する。ＬＣＤ２０の表示がオフに設定されている場合には、プレビュー画像の表示時間だけバックライト４７を点灯させ、プレビュー画像をＬＣＤ２０に表示する。プレビュー画像の表示後、この画像をメモリカード１８に記録するか否かをユーザーに選択させる。
【００２６】
メモリカード１８への記録が選択された場合には、ＣＲフラグ６４をオンに設定する。ＬＣＤ２０の表示がオフに設定されている場合には、バックライト４７を消灯させた後、ＣＲフラグ６４をオンに設定する。一方、メモリカード１８への記録が選択されなかった場合には、処理をリターンして次の撮影待機状態となる。ＬＣＤ２０の表示がオフに設定されている場合には、バックライト４７を消灯させた後、処理をリターンする。
【００２７】
なお、ＬＣＤ２０の表示のオン／オフを条件としてＣＲフラグ６４を設定してもよい。この場合、ＣＰＵ３０は、ＬＣＤ２０の表示がオンに設定された場合はＣＲフラグ６４をオフに、ＬＣＤ２０の表示がオフに設定された場合はオンに設定する。また、上記実施形態では、識別情報としてＣＲフラグ６４を用いたが、外部機器側で認識することが可能な識別情報であればよく、本発明はこれに限定されない。
【００２８】
【発明の効果】
以上のように、本発明のデジタルカメラによれば、撮影した画像を外部機器にて出力する際に、外部機器で画像データの補正処理を実施するか否かを指定する識別情報を、プレビューモードが選択された場合は補正処理不実施信号に、選択されていない場合は補正処理実施信号に設定する制御手段を設けたので、外部機器で画像データの補正処理を実施するか否かを自動的に指定することができる。したがって、撮影中にユーザーが補正処理を実施するか否かを設定する必要がなく、画像表示手段で確認済みの画像に補正処理を施すといった不都合を防止することができる。
【図面の簡単な説明】
【図１】本発明を実施したデジタルカメラの正面概観斜視図である。
【図２】デジタルカメラの背面概観斜視図である。
【図３】モードダイヤルの拡大図である。
【図４】セットアップモードのメニュー画面を示す図である。
【図５】デジタルカメラの電気的構成を示すブロック図である。
【図６】画像ファイルの構成を示す模式図である。
【図７】デジタルカメラの処理手順を示すフローチャートである。
【符号の説明】
２  デジタルカメラ
１０  撮像レンズ
１６  モードダイヤル
１７  レリーズボタン
１８  メモリカード
２０  液晶表示器装置（ＬＣＤ）
２１  操作部
３０  ＣＰＵ
３２  撮像部
３５  システムメモリ
４７  バックライト
６０  画像ファイル
６１  画像データ
６３  タグ情報
６４  ＣＲフラグ
【図１】
2004200922.tif 000003
【図２】
2004200922.tif 000004
【図３】
2004200922.tif 000005
【図４】
2004200922.tif 000006
【図５】
2004200922.tif 000007
【図６】
2004200922.tif 000008
【図７】
2004200922.tif 000009